【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
印刷装置へ出力する印刷データと、該印刷装置の印刷方法を制御する印刷制御コマンドを生成する印刷制御装置であって、
１ページ分の前記印刷データ中の描画命令によって描画される描画エリアの描画面積を算出する算出手段と、
前記描画面積を前記印刷データの印刷方法を決定するための判定材料として用いた重みを示す係数を、前記描画命令に基づいて設定する設定手段と、
前記設定手段で設定された係数を前記描画面積に乗じた仮想描画面積を算出する仮想描画面積算出手段と、
前記印刷データ中の描画命令に対応する前記仮想描画面積と、１ページ分の印刷データの仮想基準面積とに基づいて、前記印刷データの印刷方法を決定する決定手段と、
前記決定手段で決定した印刷方法を前記印刷装置に実行させる印刷制御コマンドを生成する生成手段と、
前記印刷制御コマンドを、前記印刷データに先立って、前記印刷装置へ出力する出力手段と
を備えることを特徴とする印刷制御装置。
【請求項２】
前記決定手段は、前記印刷データ中の各描画命令に対応する前記仮想描画面積の合計値と、前記仮想基準面積を比較し、その比較結果に基づいて、前記印刷データの印刷方法を決定する
ことを特徴とする請求項１に記載の印刷制御装置。
【請求項３】
前記仮想描画面積算出手段によって前記仮想描画面積が算出される毎に、仮想描画面積を累積加算して合計値を算出する加算手段を更に備え、
前記決定手段は、前記加算手段で得られる合計値が前記仮想基準面積を超えた時点で、それ以降の未処理の描画命令に対する前記算出手段及び前記加算手段による処理を禁止して、前記印刷データの印刷方法を決定する
ことを特徴とする請求項１に記載の印刷制御装置。
【請求項４】
前記描画命令の種類に応じた前記係数を管理する係数テーブルを記憶する記憶手段を更に備え、
前記設定手段は、前記係数テーブルを参照して、前記描画命令の種類に応じた前記係数を設定する
ことを特徴とする請求項１に記載の印刷制御装置。
【請求項５】
前記記憶手段は、前記印刷データとなる元データを生成するデータ生成環境毎に、該データ生成環境に応じた前記係数テーブルを記憶し、
前記設定手段は、前記印刷データとなる元データを生成するデータ生成環境に応じた係数テーブルを参照して、前記描画命令の種類に応じた前記係数を設定する
ことを特徴とする請求項４に記載の印刷制御装置。
【請求項６】
前記描画命令の種類に応じた前記係数を管理する第１係数テーブルと、前記描画命令によって得られる描画色に応じた前記係数を管理する第２係数テーブルを記憶する記憶手段を更に備え、
前記設定手段は、前記第１及び第２係数テーブルを参照して、前記描画命令に対応する前記係数として、該描画命令の種類に応じた第１係数及び該描画命令によって得られる描画色に応じた第２係数を設定する
ことを特徴とする請求項１に記載の印刷制御装置。
【請求項７】
前記仮想描画面積算出手段は、前記設定手段で設定された前記第１及び第２係数を前記描画面積に乗じて、前記仮想描画面積を算出する
ことを特徴とする請求項６に記載の印刷制御装置。
【請求項８】
前記設定手段は、前記描画命令がイメージ系である場合、前記描画命令が保持するビットマップ情報の特徴量を、該描画命令の描画色とし、その描画色に基づいて前記係数を設定する
ことを特徴とする請求項１に記載の印刷制御装置。
【請求項９】
前記設定手段は、前記描画命令がグラフィックス系で、かつ単色塗りつぶしでない場合、前記描画命令が保持する描画パターンの特徴量を、該描画命令の描画色として、その描画色に基づいて、前記係数を設定する
ことを特徴とする請求項１に記載の印刷制御装置。
【請求項１０】
印刷装置へ出力する印刷データを生成する印刷制御装置であって、
１ページ分の前記印刷データ中の描画命令によって描画される描画エリアの描画面積を算出する算出手段と、
前記描画面積を前記印刷データに施す画像処理方法を決定するための判定材料として用いた重みを示す係数を、前記描画命令に基づいて設定する設定手段と、
前記設定手段で設定された係数を前記描画面積に乗じた仮想描画面積を算出する仮想描画面積算出手段と、
前記印刷データ中の描画命令に対応する前記仮想描画面積と、１ページ分の印刷データの仮想基準面積とに基づいて、前記印刷データの印刷に係る画像処理方法を決定する決定手段と
前記決定手段で決定した画像処理方法で画像処理した前記印刷データを、前記印刷装置へ出力する出力手段と
を備えることを特徴とする印刷制御装置。
【請求項１１】
印刷装置へ出力する印刷データと、該印刷装置の印刷方法を制御する印刷制御コマンドを生成する印刷制御装置の制御方法であって、
１ページ分の前記印刷データ中の描画命令によって描画される描画エリアの描画面積を算出する算出工程と、
前記描画面積を前記印刷データの印刷方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷方法を決定する決定工程と、
前記決定工程で決定した印刷方法を前記印刷装置に実行させる印刷制御コマンドを生成する生成工程と、
前記印刷制御コマンドを、前記印刷データに先立って、前記印刷装置へ出力する出力工程と
を備えることを特徴とする印刷制御装置の制御方法。
【請求項１２】
印刷装置へ出力する印刷データを生成する印刷制御装置の制御方法であって、
１ページ分の前記印刷データ中の描画命令によって描画される描画エリアの描画面積を算出する算出工程と、
前記描画面積を前記印刷データに施す画像処理方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷に係る画像処理方法を決定する決定工程と
前記決定工程で決定した画像処理方法で画像処理した前記印刷データを、前記印刷装置へ出力する出力工程と
を備えることを特徴とする印刷制御装置の制御方法。
【請求項１３】
印刷装置へ出力する印刷データと、該印刷装置の印刷方法を制御する印刷制御コマンドを生成する印刷制御装置の制御をコンピュータに実行させるためのコンピュータプログラムであって、
１ページ分の前記印刷データ中の描画命令によって描画される描画エリアの描画面積を算出する算出工程と、
前記描画面積を前記印刷データの印刷方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷方法を決定する決定工程と、
前記決定工程で決定した印刷方法を前記印刷装置に実行させる印刷制御コマンドを生成する生成工程と、
前記印刷制御コマンドを、前記印刷データに先立って、前記印刷装置へ出力する出力工程と
をコンピュータに実行させることを特徴とするコンピュータプログラム。
【請求項１４】
印刷装置へ出力する印刷データを生成する印刷制御装置の制御をコンピュータに実行させるためのコンピュータプログラムであって、
１ページ分の前記印刷データ中の描画命令によって描画される描画エリアの描画面積を算出する算出工程と、
前記描画面積を前記印刷データに施す画像処理方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷に係る画像処理方法を決定する決定工程と
前記決定工程で決定した画像処理方法で画像処理した前記印刷データを、前記印刷装置へ出力する出力工程と
をコンピュータに実行させることを特徴とするコンピュータプログラム。
【手続補正２】
【補正対象書類名】明細書
【補正対象項目名】００１２
【補正方法】変更
【補正の内容】
【００１２】
上記の目的を達成するための本発明による印刷制御装置は以下の構成を備える。即ち、
印刷装置へ出力する印刷データと、該印刷装置の印刷方法を制御する印刷制御コマンドを生成する印刷制御装置であって、
１ページ分の前記印刷データ中の描画命令によって描画される描画エリアの描画面積を算出する算出手段と、
前記描画面積を前記印刷データの印刷方法を決定するための判定材料として用いた重みを示す係数を、前記描画命令に基づいて設定する設定手段と、
前記設定手段で設定された係数を前記描画面積に乗じた仮想描画面積を算出する仮想描画面積算出手段と、
前記印刷データ中の描画命令に対応する前記仮想描画面積と、１ページ分の印刷データの仮想基準面積とに基づいて、前記印刷データの印刷方法を決定する決定手段と、
前記決定手段で決定した印刷方法を前記印刷装置に実行させる印刷制御コマンドを生成する生成手段と、
前記印刷制御コマンドを、前記印刷データに先立って、前記印刷装置へ出力する出力手段と
を備える。
【手続補正３】
【補正対象書類名】明細書
【補正対象項目名】００２１
【補正方法】変更
【補正の内容】
【００２１】
上記の目的を達成するための本発明による印刷制御装置は以下の構成を備える。即ち、
印刷装置へ出力する印刷データを生成する印刷制御装置であって、
１ページ分の前記印刷データ中の描画命令によって描画される描画エリアの描画面積を算出する算出手段と、
前記描画面積を前記印刷データに施す画像処理方法を決定するための判定材料として用いた重みを示す係数を、前記描画命令に基づいて設定する設定手段と、
前記設定手段で設定された係数を前記描画面積に乗じた仮想描画面積を算出する仮想描画面積算出手段と、
前記印刷データ中の描画命令に対応する前記仮想描画面積と、１ページ分の印刷データの仮想基準面積とに基づいて、前記印刷データの印刷に係る画像処理方法を決定する決定手段と
前記決定手段で決定した画像処理方法で画像処理した前記印刷データを、前記印刷装置へ出力する出力手段と
を備える。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】変更
【補正の内容】
【００２８】
上記の目的を達成するための本発明による印刷制御装置の制御方法は以下の構成を備える。即ち、
印刷装置へ出力する印刷データと、該印刷装置の印刷方法を制御する印刷制御コマンドを生成する印刷制御装置の制御方法であって、
１ページ分の前記印刷データ中の描画命令によって描画される描画エリアの描画面積を算出する算出工程と、
前記描画面積を前記印刷データの印刷方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷方法を決定する決定工程と、
前記決定工程で決定した印刷方法を前記印刷装置に実行させる印刷制御コマンドを生成する生成工程と、
前記印刷制御コマンドを、前記印刷データに先立って、前記印刷装置へ出力する出力工程と
を備える。
【手続補正１１】
【補正対象書類名】明細書
【補正対象項目名】００２９
【補正方法】変更
【補正の内容】
【００２９】
上記の目的を達成するための本発明による印刷制御装置の制御方法は以下の構成を備える。即ち、
印刷装置へ出力する印刷データを生成する印刷制御装置の制御方法であって、
１ページ分の前記印刷データ中の描画命令によって描画される描画エリアの描画面積を算出する算出工程と、
前記描画面積を前記印刷データに施す画像処理方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷に係る画像処理方法を決定する決定工程と
前記決定工程で決定した画像処理方法で画像処理した前記印刷データを、前記印刷装置へ出力する出力工程と
を備える。
【手続補正１２】
【補正対象書類名】明細書
【補正対象項目名】００３０
【補正方法】変更
【補正の内容】
【００３０】
上記の目的を達成するための本発明によるコンピュータプログラムは以下の構成を備える。即ち、
印刷装置へ出力する印刷データと、該印刷装置の印刷方法を制御する印刷制御コマンドを生成する印刷制御装置の制御をコンピュータに実行させるためのコンピュータプログラムであって、
１ページ分の前記印刷データ中の描画命令によって描画される描画エリアの描画面積を算出する算出工程と、
前記描画面積を前記印刷データの印刷方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷方法を決定する決定工程と、
前記決定工程で決定した印刷方法を前記印刷装置に実行させる印刷制御コマンドを生成する生成工程と、
前記印刷制御コマンドを、前記印刷データに先立って、前記印刷装置へ出力する出力工程と
をコンピュータに実行させることを特徴とする。
【手続補正１３】
【補正対象書類名】明細書
【補正対象項目名】００３１
【補正方法】変更
【補正の内容】
【００３１】
上記の目的を達成するための本発明によるコンピュータプログラムは以下の構成を備える。即ち、
印刷装置へ出力する印刷データを生成する印刷制御装置の制御をコンピュータに実行させるためのコンピュータプログラムであって、
１ページ分の前記印刷データ中の描画命令によって描画される描画エリアの描画面積を算出する算出工程と、
前記描画面積を前記印刷データに施す画像処理方法を決定するための判定材料として用いた重みを示す係数を、前記描画命令に基づいて設定する設定工程と、
前記設定工程で設定された係数を前記描画面積に乗じた仮想描画面積を算出する仮想描画面積算出工程と、
前記印刷データ中の描画命令に対応する前記仮想描画面積と、１ページ分の印刷データの仮想基準面積とに基づいて、前記印刷データの印刷に係る画像処理方法を決定する決定工程と
前記決定工程で決定した画像処理方法で画像処理した前記印刷データを、前記印刷装置へ出力する出力工程と
をコンピュータに実行させることを特徴とする。